(57)【要約】【課題】  複数のＬＥＤを光源として用いて、撮影レンズの周辺部における光量落ちを補い、撮影領域の明るさを均一にした撮影を行うように、照明光の光量を制御することを目的とする。【解決手段】  照明装置１６は、ＬＥＤをそれぞれ有する第１〜第９光源ユニット１６Ａ〜１６Ｉにより形成される。照明装置１６の中央に位置する第５光源ユニット１６Ｅは、レンズ鏡筒１４の光軸に平行な方向に光を照射し、その他の光源ユニットは、それぞれ第５光源ユニット１６Ｅから遠ざかる方向に光を照射することにより、デジタルカメラ１０の撮影領域全般が照明される。照明光が均一反射平面の被写体において反射し、撮影レンズを透過した場合、像面照度が一定となるように、第１〜第９光源ユニット１６Ａ〜１６Ｉの発光強度の比を定めた周辺光量データに基づいて、発光強度を制御する。【選択図】        図１
2005148200.tif 000002
【特許請求の範囲】
【請求項１】
撮影光学系と、
前記撮影光学系により規定される撮影領域を照明する照明光を照射する複数の光源ユニットと、
前記照明光により均一な反射率を有する平面状の基準被写体を照明した際に、前記撮影光学系を介して形成される前記基準被写体の像面の照度が均一となるように前記複数の光源ユニットの発光強度の比を定めた周辺光量データを格納する周辺光量データ格納手段と、
前記周辺光量データを読出す周辺光量データ読出し手段と、
前記周辺光量データに基づいて、前記像面の照度が均一となるように照明するために、前記光源ユニットのうちで、前記照明光の前記撮影光学系の光軸に対する傾斜角が大きいものほど強度の大きい光を照射するように前記光源ユニットを制御する光源ユニット制御手段と
を備えることを特徴とする光量制御装置。
【請求項２】
前記撮影光学系がズーム光学系であり、
前記撮影光学系の焦点距離に応じた前記周辺光量データを格納するズーム周辺光量データ格納手段をさらに有することを特徴とする請求項１に記載の光量制御装置。
【請求項３】
前記周辺光量データが、
所定の前記焦点距離と前記傾斜角とに応じた１つ以上のデータであることを特徴とする請求項２に記載の光量制御装置。
【請求項４】
撮影光学系を有し、着脱自在に取付けられる第１のレンズ鏡筒と、
前記撮影光学系により規定される撮影領域を照明する照明光を照射する複数の光源ユニットと、
前記照明光により均一な反射率を有する平面状の基準被写体を照明した際に、前記撮影光学系を介して形成される前記基準被写体の像面の照度が均一となるように前記複数の光源ユニットの発光強度の比を定めた周辺光量データを読出す周辺光量データ読出し手段と、
前記周辺光量データに基づいて、前記像面の照度が均一となるように照明するために、前記光源ユニットのうちで、前記照明光の前記撮影光学系の光軸に対する傾斜角が大きいものほど強度の大きい光を照射するように前記光源ユニットを制御する光源ユニット制御手段と
を備え、前記第１のレンズ鏡筒に前記周辺光量データが格納されていて、前記第１のレンズ鏡筒とは異なる第２のレンズ鏡筒も使用可能であることを特徴とする光量制御装置。
【請求項５】
前記撮影光学系がズーム光学系であり、
前記第１のレンズ鏡筒が、前記撮影光学系の焦点距離に応じた前記周辺光量データを格納するズーム周辺光量データ格納手段をさらに有することを特徴とする請求項４に記載の光量制御装置。
【請求項６】
前記周辺光量データが、
所定の前記焦点距離と前記傾斜角とに応じた１つ以上のデータであることを特徴とする請求項５に記載の光量制御装置。
【請求項７】
撮影光学系により規定される撮影領域を照明する照明光を照射する複数の光源ユニットと、
前記照明光により均一な反射率を有する平面状の基準被写体を照明した際に、前記撮影光学系を介して形成される前記基準被写体の像面の照度が均一となるように前記複数の光源ユニットの発光強度の比を定めた周辺光量データを読出す周辺光量データ読出し手段と、
前記周辺光量データに基づいて、前記像面の照度が均一となるように照明するために、前記光源ユニットのうちで、前記照明光の前記撮影光学系の光軸に対する傾斜角が大きいものほど強度の大きい光を照射するように前記光源ユニットを制御する光源ユニット制御手段と
を備える光量制御装置本体に着脱自在に取付けられ、前記撮影光学系を備えていて、なおかつ前記周辺光量データが格納されていることを特徴とするレンズ鏡筒。
【請求項８】
前記撮影光学系がズーム光学系であり、
前記撮影光学系の焦点距離に応じた前記周辺光量データを格納するズーム周辺光量データ格納手段をさらに有することを特徴とする請求項７に記載のレンズ鏡筒。
【請求項９】
前記周辺光量データが、
所定の前記焦点距離と前記傾斜角とに応じた１つ以上のデータであることを特徴とする請求項８に記載のレンズ鏡筒。
【請求項１０】
撮影光学系により規定される撮影領域を照明する照明光を照射する複数の光源ユニットと、
前記照明光により均一な反射率を有する平面状の基準被写体を照明した際に、前記撮影光学系を介して形成される前記基準被写体の像面の照度が均一となるように前記複数の光源ユニットの発光強度の比を定めた周辺光量データを読出す周辺光量データ読出し手段と、
前記周辺光量データに基づいて、前記像面の照度が均一となるように照明するために、前記光源ユニットのうちで、前記照明光の前記撮影光学系の光軸に対する傾斜角が大きいものほど強度の大きい光を照射するように前記光源ユニットを制御する光源ユニット制御手段と
を備え、前記撮影光学系を有していてなおかつ前記周辺光量データが格納されているレンズ鏡筒が着脱自在に取付けられることを特徴とする光量制御装置本体。
【請求項１１】
前記撮影光学系がズーム光学系であり、
前記レンズ鏡筒が、前記撮影光学系の焦点距離に応じた前記周辺光量データを格納するズーム周辺光量データ格納手段をさらに有することを特徴とする請求項１０に記載の光量制御装置本体。
【請求項１２】
前記周辺光量データが、
所定の前記焦点距離と前記傾斜角とに応じた１つ以上のデータであることを特徴とする請求項１１に記載の光量制御装置本体。
【発明の詳細な説明】
【技術分野】
【０００１】
本発明は、銀塩カメラやデジタルカメラ、撮影機能付き携帯機器等の撮影装置による撮影において、被写体に照射する照明光の制御を行う光量制御装置に関する。
【背景技術】
【０００２】
近年、銀塩フィルムの高感度化や、ＣＣＤ撮像素子の感度の向上により、撮影用の照明装置に大きな光量が必要ではなくなりつつある。このことから、従来のキセノン管を用いた照明装置よりも照明光の光量はまだ小さいものの、発光効率が飛躍的に向上しており、低電流化、長寿命化が可能であること等の利点を有する半導体発光素子であるＬＥＤを光源として用いる撮影用の照明装置が提案されている。
【０００３】
しかしながら、単独のＬＥＤでは撮影用の照明光源として必要とされる光量を供給することが困難であることから、複数のＬＥＤを光源として備えた撮影用照明装置が提案されている。（例えば特許文献１）。
【特許文献１】特開２００２−１４８６８６号公報（段落［０００６］）
【発明の開示】
【発明が解決しようとする課題】
【０００４】
被写体に照明光を照射して撮影を行う場合、一般的に撮影領域全般に渡って均一に照明を行うことが理想とされる。ところが撮影領域を均一に照明した場合においても、撮影レンズの特性上、撮影領域の周辺部の明るさが、コサイン４乗則に従って中心部に比べて低下することが知られている。
【０００５】
本発明は、複数の光源を用いて、撮影レンズの周辺部の光量落ちを補って、撮影領域全般にわたり均一な明るさで撮影するように、照明光の光量を制御する撮影用光量制御装置を提供することを目的とする。
【課題を解決するための手段】
【０００６】
本発明の光量制御装置は、撮影光学系と、撮影光学系により規定される撮影領域を照明する照明光を照射する複数の光源ユニットと、照明光により均一な反射率を有する平面状の基準被写体を照明した際に、撮影光学系を介して形成される基準被写体の像面の照度が均一となるように複数の光源ユニットの発光強度の比を定めた周辺光量データを格納する周辺光量データ格納手段とを備えている。さらに、光量制御装置は、周辺光量データを読出す周辺光量データ読出し手段と、周辺光量データに基づいて、像面の照度が均一となるように照明するために、光源ユニットのうちで、照明光の撮影光学系の光軸に対する傾斜角が大きいものほど強度の大きい光を照射するように光源ユニットを制御する光源ユニット制御手段を備えている。撮影光学系は、例えばズーム光学系であり、その場合、光量制御装置は、撮影光学系の焦点距離に応じた周辺光量データを格納するズーム周辺光量データ格納手段をさらに有することが好ましい。
【０００７】
また、光量制御装置における周辺光量データは、焦点距離に応じた無数のデータではなく、所定の焦点距離と傾斜角とに応じた１つ以上のデータであることが好ましい。
【０００８】
光量制御装置は、撮影光学系を有していて着脱自在に取付けられる第１のレンズ鏡筒と、撮影光学系により規定される撮影領域を照明する照明光を照射する複数の光源ユニットと、照明光により均一な反射率を有する平面状の基準被写体を照明した際に、撮影光学系を介して形成される基準被写体の像面の照度が均一となるように複数の光源ユニットの発光強度の比を定めた周辺光量データを読出す周辺光量データ読出し手段とを備えている。さらに、光量制御装置は、周辺光量データに基づいて、像面の照度が均一となるように照明するために、光源ユニットのうちで、照明光の撮影光学系の光軸に対する傾斜角が大きいものほど強度の大きい光を照射するように光源ユニットを制御する光源ユニット制御手段を備えている。そして、第１のレンズ鏡筒には周辺光量データが格納されていて、光量制御装置は、第１のレンズ鏡筒とは異なる第２のレンズ鏡筒も使用可能である。また、撮影光学系がズーム光学系である場合、第１のレンズ鏡筒は、撮影光学系の焦点距離に応じた周辺光量データを格納するズーム周辺光量データ格納手段をさらに有することが好ましい。
【０００９】
また、レンズ鏡筒が着脱自在な光量制御装置においても、周辺光量データは、焦点距離に応じた無数のデータではなく、所定の焦点距離と傾斜角とに応じた１つ以上のデータであることが好ましい。
【００１０】
本発明のレンズ鏡筒は、撮影光学系により規定される撮影領域を照明する照明光を照射する複数の光源ユニットと、照明光により均一な反射率を有する平面状の基準被写体を照明した際に、撮影光学系を介して形成される基準被写体の像面の照度が均一となるように複数の光源ユニットの発光強度の比を定めた周辺光量データを読出す周辺光量データ読出し手段と、周辺光量データに基づいて、像面の照度が均一となるように照明するために、光源ユニットのうちで、照明光の撮影光学系の光軸に対する傾斜角が大きいものほど強度の大きい光を照射するように光源ユニットを制御する光源ユニット制御手段とを備える光量制御装置本体に着脱自在に取付けられる。レンズ鏡筒は、撮影光学系を備えており、さらに、レンズ鏡筒には周辺光量データが格納されている。撮影光学系は、例えばズーム光学系であり、この場合、レンズ鏡筒は、撮影光学系の焦点距離に応じた周辺光量データを格納するズーム周辺光量データ格納手段をさらに有することが好ましい。
【００１１】
また、レンズ鏡筒に格納される周辺光量データは、焦点距離に応じた無数のデータではなく、所定の焦点距離と傾斜角とに応じた１つ以上のデータであることが好ましい。
【００１２】
本発明の光量制御装置本体は、撮影光学系により規定される撮影領域を照明する照明光を照射する複数の光源ユニットと、照明光により均一な反射率を有する平面状の基準被写体を照明した際に、撮影光学系を介して形成される基準被写体の像面の照度が均一となるように複数の光源ユニットの発光強度の比を定めた周辺光量データを読出す周辺光量データ読出し手段とを備えている。そして、光量制御装置本体は、周辺光量データに基づいて、像面の照度が均一となるように照明するために、光源ユニットのうちで、照明光の撮影光学系の光軸に対する傾斜角が大きいものほど強度の大きい光を照射するように光源ユニットを制御する光源ユニット制御手段を備えており、撮影光学系を有していてなおかつ周辺光量データが格納されているレンズ鏡筒が着脱自在に取付けられる。この撮影光学系は、例えばズーム光学系であって、この場合、レンズ鏡筒が、撮影光学系の焦点距離に応じた周辺光量データを格納するズーム周辺光量データ格納手段をさらに有することが好ましい。
【００１３】
また、光量制御装置本体における周辺光量データは、焦点距離に応じた無数のデータではなく、所定の焦点距離と傾斜角とに応じた１つ以上のデータであることが好ましい。
【発明の効果】
【００１４】
本発明によれば、複数の光源を用いて、撮影レンズの周辺部の光量落ちを補正して、均一照明の撮影を可能とする撮影用光量制御装置等が得られる。
【発明を実施するための最良の形態】
【００１５】
以下、本発明の実施形態を、図面を参照して説明する。図１は、本発明の照明装置を備えたデジタルカメラを前方から見た正面図である。
【００１６】
デジタルカメラ１０は、レリーズボタン１２、撮影レンズ１３を含むレンズ鏡筒１４および照明装置１６を備えている。照明装置１６は、光源としてのＬＥＤをそれぞれ有する第１〜第９光源ユニット１６Ａ〜１６Ｉにより形成される。第１〜第９光源ユニット１６Ａ〜１６Ｉは、デジタルカメラ１０の前面１０Ｆに、３段×３列のマトリクス状に配置されている。照明装置１６の中央に位置する第５光源ユニット１６Ｅからの照明光は、所定の照射角を伴って、撮影レンズ１３の光軸に平行な方向に照射される。第５光源ユニット１６Ｅ以外の光源ユニットからの照明光は、拡散しながら進行し、デジタルカメラ１０の撮影領域全般を照明する。例えば、第１光源ユニット１６Ａの場合、撮影者にとっての右上の方向に照明光を照射する。なお、光源ユニット１６Ａ〜１６Ｉの配置の間隔は、撮影領域の均一な照明を容易にするために、概ね撮影領域のアスペクト比に対応して横方向と縦方向とで４：３となっている。
【００１７】
図２は、第１の実施形態におけるデジタルカメラ１０のブロック図である。
【００１８】
第１の実施形態のデジタルカメラ１０は、ズームレンズである撮影レンズ１３が、レンズ鏡筒１４に用いられている。この撮影レンズ１３は、デジタルカメラ１０に組み入れられており、交換不能である。
【００１９】
カメラＣＰＵ１８は、デジタルカメラ１０を制御する制御回路である。カメラＣＰＵ１８には、メインスイッチＳＷＭＡＩＮが接続されている。メインスイッチＳＷＭＡＩＮは、デジタルカメラ１０のスイッチ（図示せず）であり、撮影者により操作されるとオン状態になり、カメラＣＰＵ１８が作動を開始する。ＥＥＰＲＯＭ４４には、カメラＣＰＵ１８の信号処理のための様々なデータとともに、撮影レンズ１３の周辺光量データが予め格納されている。
【００２０】
コサイン４乗則により、撮影レンズ１３を通過した中心像の明るさよりも、光軸中心から離れた像の明るさは小さくなる。撮影レンズ１３を通過した像の明るさが中心部と周辺部とで等しくなるように、予め複数の光源ユニットの照射強度を調整するためのデータが周辺光量データである。すなわち、第１〜第９光源ユニット１６Ａ〜１６Ｉから照射された照明光が、撮影レンズ１３の光軸と直交する均一反射率の平面を有する基準被写体（以下基準チャートという）において反射し、撮影レンズ１３を透過してＣＣＤ３８の受光面を照明したときの相対強度が、撮影レンズ１３への入射角によらずいずれも一定となるように、予め定められた第１〜第９光源ユニット１６Ａ〜１６Ｉの発光強度の比である。なお、照射光が被写体で反射して撮影レンズ１３へ入射するときの入射角は、各光源ユニット１６Ａ〜１６Ｉから照射光が照射されたときの撮影レンズ１３の光軸に対する傾斜角に等しい。
【００２１】
周辺光量データは、予めＥＥＰＲＯＭ４４に格納されている。なお、周辺光量データは、レンズ固有のデータであると共に、同一のレンズにおいても、ズーム撮影時の焦点距離（レンズ位置）によって異なるため、本実施形態においては、撮影レンズ１３の複数箇所（例えば５箇所）の焦点距離に対応した各レンズ位置毎にそれぞれ対応したデータが格納されている。以下、この各焦点距離に対応したレンズ位置をズーム位置という。
【００２２】
カメラＣＰＵ１８に接続された測光スイッチＳＷＳは、レリーズボタン１２を半押しすることによってオン状態となる。デジタルカメラ１０が、被写体の撮影を行う撮影モードに設定されていた場合に、測光スイッチＳＷＳがオン状態となると、測光装置２２による被写体の測光、測距装置２４による測距動作が行われる。こうして得られた輝度データ及び測距データは、カメラＣＰＵ１８に送信される。
【００２３】
測距データに応じてフォーカス駆動回路２６による自動合焦が行われる。また、ズーム位置検出部２３によって撮影レンズ１３のズーム位置が検出され、ズーム位置を伝える信号がレンズＣＰＵ２５を介してカメラＣＰＵ１８に送信される。
【００２４】
フラッシュ回路２０は、カメラＣＰＵ１８からの制御信号に基づきながら、シャッタ開放時に被写体を照明させるように、照明装置１６を以下のように制御する。まず、ＥＥＰＲＯＭ４４に格納されている、所定のズーム位置における撮影レンズ１３の周辺光量データが、カメラＣＰＵ１８によって読み出される。この周辺光量データに基づいて、照明装置１６を形成する光源ユニット１６Ａ〜１６Ｉのそれぞれに含まれる第１〜第９ＬＥＤ４８Ａ〜４８Ｉの発光を制御する制御信号が、カメラＣＰＵ１８からフラッシュ回路２０に出力される。この制御信号が、カメラＣＰＵ１８からフラッシュ回路２０に送信されると、所望のデューティー比や、所定のパルス幅、周波数を持ったパルス信号が生成される。フラッシュ回路２０は、このパルス信号の電圧値、電流値をＬＥＤの駆動に適した所定の値に整形して、駆動信号として出力する。この駆動信号により、第１〜第９ＬＥＤ４８Ａ〜４８Ｉが駆動され、それぞれ所定の発光強度を持つ光が照射される。
【００２５】
レリーズスイッチＳＷＲは、レリーズボタン１２を全押しすることによりオン状態になる。レリーズスイッチＳＷＲがオン状態になると、カメラＣＰＵ１８からの制御信号に基づいて、シャッタ駆動回路２８によりシャッタ（図示せず）が、露出調整のため所定の開度まで所定時間だけ開かれる。そして、ＣＣＤ駆動回路３６により制御されたＣＣＤ３８が露光され、ＣＣＤ３８には画像信号が発生し、ＣＣＤ３８から順次読み出されてアンプ回路（図示せず）へ送られる。
【００２６】
画像信号がアンプ回路において増幅処理されると、Ａ/Ｄ変換器４０では、アナログの画像信号がデジタルの画像信号に変換される。デジタル化された画像信号には、ホワイトバランス調整、ガンマ補正などの様々な信号処理が施され、処理された画像信号はカメラＣＰＵ１８へ送られる。さらに、カメラＣＰＵ１８からＬＣＤドライバ（図示せず）に画像信号が送られ、この画像信号に基づいてＬＣＤ４５が駆動され、被写体像がＬＣＤ４５に表示される。なお、撮影された被写体像の画像データは、ＤＲＡＭ４２やメモリカード（図示せず）に記録される。
【００２７】
図３は、均一照度面を撮影したときの撮影レンズ１３の画角によるＣＣＤ３８の受光面での周辺光量低下率を示すグラフである。
【００２８】
このグラフは、撮影レンズ１３による画角が０°、すなわち撮影レンズ１３の光軸と交わる中心点での光量を１．０として、より大きい画角での相対光量がどれだけであるかを示している。例えば、撮影レンズ１３の光軸中央、画角が０°の位置の相対強度１．０に対し、光軸中心から離れた点であって、画角が２０°の位置での相対強度は約０．３である。
【００２９】
この撮影レンズ１３による撮影画角と周辺光量低下データに基づいて、基準チャートを第１〜第９光源ユニット１６Ａ〜１６Ｉにより照明したとき、ＣＣＤ３８の受光面状の光量分布が等しくなるように各光源ユニットの光の照射強度が定められる。例えば、照明装置１６の中心位置にある第５光源ユニット１６Ｅが撮影レンズ１３の光軸方向に照射する照明光（以下照明光ＬＥとする）と、照明装置１６の端部に配置され、画角が２０°の位置にある第１光源ユニット１６Ａが照射する照明光（以下照明光ＬＡとする）に関し、撮影レンズ１３を通過した後に、照明光ＬＡ及びＬＥの反射光の強度が等しくなるように、照明光ＬＡの強度を、照明光ＬＥの強度よりも大きくする。
【００３０】
本実施形態では、照明光ＬＡの強度を、最大画角の３／４の画角の相対強度の逆数倍とする。すなわち、図３の例では、画角が１５°のときの相対強度が約０．５５であるので、その逆数（１／０．５５）倍となるように照射される。周辺光量は、撮影レンズ１３の光軸の中心から離れるほど（画角が大きくなる程）低くなるので、この傾向を相殺すべく、撮影レンズ１３の光軸の中心から離れるほど（画角が大きくなる程）照明光の強度を大きくする傾向にすればよい。なお、端部にある照明光ＬＡの強度設定を最大画角よりも若干狭い画角における相対強度に基づいて設定することで、画角外に拡散する照明光ＬＡのロスが少ないので利用効率がよい。
【００３１】
ＥＥＰＲＯＭ４４に格納されている周辺光量データは、第５光源ユニット１６Ｅの照射強度に対する、各光源ユニット１６Ａ〜Ｄおよび１６Ｆ〜Ｉの照射強度比となっている。なお、撮影レンズ１３の光軸方向に照射する第５光源ユニット１６Ｅを始め、全ての光源ユニット１６Ａ〜１６Ｉの光の照射の方向は一定であり、従ってそれぞれの照明光による反射光の撮影レンズ１３への入射角も、それぞれ一定である。このため、図３のグラフのように、あらゆる入射角に対する透過光の相対強度データは不要であり、いくつかの所定の入射角で入射する光の撮影レンズ１３透過後の相対強度比のみが、周辺光量データとして必要である。
【００３２】
本実施形態においては、光源ユニットが９つで、第５光源ユニット１６Ｅを中心として、両側１つずつ光源ユニットが対称に配列されているので、５つの各焦点距離において、その焦点距離における光軸中心（０°）と画角の３／４倍となる位置における２点についての周辺光量データがＥＥＰＲＯＭ４４に格納されている。なお、1つの焦点距離における周辺光量データの個数は照明に利用する光源ユニットの個数増加や配置様式によって、中間的な画角点に対応した周辺光量データを追加しても良いことはいうまでもない。
【００３３】
先述のように、周辺光量データは、ズームレンズのレンズ位置によっても異なるため、撮影レンズ１３のレンズ位置ごとの周辺光量データが、ＥＥＰＲＯＭ４４に格納されている。そして、レンズ位置毎に撮影画角が変わるものの、周辺光量データから各光源ユニットの発光強度を定めることは変わらない。
【００３４】
カメラＣＰＵ１８は、ＥＥＰＲＯＭ４４から撮影レンズ１３の現在の焦点距離における、中心の第５光源ユニット１６Ｅを除く８つの光源ユニットについての３つの周辺光量データ（光源ユニット１６Ｅ以外の８つの光源ユニットの画角は３種類であるため）を読み出し、先に算出された第５ＬＥＤ４８Ｅの発光強度を、上述のように、各周辺光量データの逆数倍することにより第１〜第９ＬＥＤ４８Ａ〜４８Ｉの各発光強度を設定し、この発光強度に対応した制御信号をフラッシュ回路２０へ出力する。そして、フラッシュ回路２０は、この制御信号に基づいて、各第１〜第９光源ユニット１６Ａ〜１６Ｉへ通電する駆動電流値をそれぞれ設定して、発光制御をおこなう。
【００３５】
図４は、第１の実施形態における、照明装置１６の光量制御を示すフローチャートである。
【００３６】
ステップＳ１０１では、レリーズボタン１２が半押しされているかが判断される。レリーズボタン１２が半押しされていると判断されると、ステップＳ１０２に進み、レリーズボタン１２が半押しされていないと判断されると、ステップＳ１０１は繰り返される。ステップＳ１０２では、撮影レンズ１３のズーム位置がズーム位置検出部２３によって検出され、ステップＳ１０３に進む。
【００３７】
ステップＳ１０３では、ＥＥＰＲＯＭ４４に記録されていた、ステップＳ１０２において検出された撮影レンズ１３のズーム位置における周辺光量データ、すなわち撮影領域の輝度を均一に撮影するための各光源ユニット１６Ａ〜１６Ｉの発光強度の比が、カメラＣＰＵ１８により読取られ、ステップＳ１０４に進む。
【００３８】
ステップＳ１０４では、測距装置２４により測定された測距データに基づいて自動合焦処理（ＡＦ）が行われる。そして、測光装置２２により検出された測光データに基づいて、自動露出処理（ＡＥ）が行われ、発光装置１６全体としての発光強度が算出される。ここで、既にステップＳ１０３において読取られた第１〜第９光源ユニット１６Ａ〜１６Ｉの発光強度の比に基づいて、第１〜第９光源ユニット１６Ａ〜１６Ｉのそれぞれの発光強度が定められ、ステップＳ１０５に進む。
【００３９】
ステップＳ１０５では、レリーズボタン１２が全押しされているか否かが判断される。レリーズボタン１２が全押しされていると判断されると、ステップＳ１０６に進み、レリーズボタン１２が全押しされていないと判断されると、ステップＳ１０１に戻り、以下のステップが繰り返される。
【００４０】
ステップＳ１０６では、発光強度がそれぞれ定められた第１〜第９光源ユニット１６Ａ〜１６Ｉを含む照明装置１６により、ストロボ発光が行われ、被写体の撮影が行われる。この時、各光源ユニット１６Ａ〜１６Ｉの発光強度は、それぞれの照明光が基準チャートによって反射された場合、像面照度が等しくなるように制御されているため、撮影領域の全般に渡り、均一な明るさで撮影が行われる。
【００４１】
以上のように本実施形態によれば、ＥＥＰＲＯＭ４４に格納した撮影レンズ１３の周辺光量データに基づいて、第１〜第９光源ユニット１６Ａ〜１６Ｉそれぞれの発光強度を制御することにより、撮影領域の周辺光量落ちの無い撮影が行われる。
【００４２】
図５は、第２の実施形態におけるデジタルカメラ１０のブロック図である。
【００４３】
第２の実施形態のデジタルカメラ１０においては、撮影レンズ１３が、レンズ鏡筒１４と共に着脱自在に取換え可能であって、様々な撮影レンズが用いられる。ここでは、第１の実施形態と相違点について以下に説明する。なお、図３においては、第１の実施形態と同一の構成要素には、同一の符号が付されている。
【００４４】
レンズ鏡筒１４は、デジタルカメラ１０の本体５０との接点であるレンズ側インターフェイス３５を有する。一方、デジタルカメラ本体５０においても、レンズ鏡筒１４との接点にはカメラ側インターフェイス３３が設けられており、レンズ鏡筒１４のカメラ本体５０への装着時には、これらのインターフェイス同士が接続する。
【００４５】
また、レンズ鏡筒１４には、撮影レンズ１３を駆動するためのレンズ側レンズ駆動機構３１が設けられている。レンズ側レンズ駆動機構３１は、レンズ鏡筒１４の装着時にデジタルカメラ本体５０に設けられたカメラ側レンズ駆動機構３７と互いに係合する。これらのレンズ駆動機構は、ＡＦモータ２９によって、焦点調節のために撮影レンズ１３を駆動するように、制御される。
【００４６】
レンズ鏡筒１４は、撮影レンズ１３のデータが格納されたＲＯＭ２７を含む。ＲＯＭ２７には、撮影レンズ１３がズームレンズであるか否か等の、撮影レンズ１３に固有のデータであるレンズタイプデータや、周辺光量データが格納されている。周辺光量データは、最大画角、最大画角の１／２の画角点の３点の周辺光量データがそれぞれ格納されている。
【００４７】
なお、撮影レンズ１３がズームレンズである場合には、予め設定された複数の焦点距離毎に上記３点の周辺光量データがＲＯＭ２７に格納されている。これらのデータは、レンズ鏡筒１４とデジタルカメラ本体５０との接続時に、レンズＣＰＵ２５、レンズ側インターフェイス３５、カメラ側インターフェイス３３を介して、カメラＣＰＵ１８に送信される。これらのデータに基づいて、カメラＣＰＵ１８がフラッシュ回路２０を制御することにより、撮影時の撮影領域の輝度が均一となるように、第１〜第９光源ユニット１６Ａ〜１６Ｉにそれぞれ含まれる第１〜第９ＬＥＤ４８Ａ〜４８Ｉが発光する。このため、カメラ本体５０のＥＥＰＲＯＭ４４には、撮影レンズ１３の周辺光量データは記録されていない。
【００４８】
カメラＣＰＵ１８は、レンズ鏡筒１４から得られる周辺光量データから直線近似演算を行って、レンズ鏡筒１４のＥＥＰＲＯＭ４４に格納されている画角以外の周辺光量データを補間生成し、これらの周辺光量データと配置されている光源ユニットの個数や配置に基づいて、各光源ユニットの発光強度を設定する。第２実施形態の場合、光源ユニットの個数、配置は第１実施形態と同じであるので、現在の焦点距離による撮影画角の３／４倍の周辺光量データを算出し、第５光源ユニットの照射強度にその逆数を乗じた発光強度で各光源ユニット１６Ａ〜Ｄ，１６Ｆ〜Ｉを発光させるようにしているが、光源ユニットの個数に応じて、上記周辺光量データの生成を増やして、各光源ユニットの発光強度をよりきめ細かく設定しても良い。
【００４９】
図６は、第２の実施形態における、照明装置１６の光量制御を示すフローチャートである。
【００５０】
ステップＳ２０１では、ＲＯＭ２７に格納されていた、撮影レンズ１３に固有のデータであるレンズタイプデータが、カメラＣＰＵ１８によって読取られ、ステップＳ２０２に進む。ステップＳ２０２においては、レンズタイプデータに基づいて、撮影レンズ１３が、ズーム位置ごとに異なる周辺光量データを有するズームレンズであるか、一通りの周辺光量データのみを有する単焦点レンズであるかが判断される。撮影レンズ１３がズームレンズでないと判断されると、ステップＳ２０３に進み、ズームレンズであると判断されると、ステップＳ２０４に進む。
【００５１】
ステップＳ２０３においては、撮影レンズ１３の周辺光量データ、すなわち撮影時の撮影領域を均一撮影する各光源ユニット１６Ａ〜１６Ｉの発光強度の比が、カメラＣＰＵ１８により読取られ、ステップＳ２０４に進む。撮影レンズ１３がズームレンズであった場合に、ステップＳ２０３において周辺光量データを読取らないのは、ズーム位置によって撮影レンズ１３の周辺光量データが異なるためである。
【００５２】
ステップＳ２０４においては、レリーズボタン１２が半押しされているか否かが判断される。レリーズボタン１２が半押しされていると判断されるとステップＳ２０５に進み、レリーズボタン１２が半押しされていないと判断されるとステップＳ２０４は繰り返される。
【００５３】
ステップＳ２０５においては、撮影レンズ１３がズームレンズであるか否かが再度判断され、ズームレンズであると判断されるとステップＳ２０６に進み、ズームレンズでないと判断されるとステップＳ２０８に進む。
【００５４】
ステップＳ２０６では、撮影レンズ１３のズーム位置がズーム位置検出部２３によって検出され、ステップＳ２０７に進む。ステップＳ２０７においては、ＲＯＭ２７に記録されていた、ステップＳ２０６において検出された撮影レンズ１３のズーム位置に対応する周辺光量データがカメラＣＰＵ１８により読取られ、ステップＳ２０８に進む。
【００５５】
ステップＳ２０８では、測距装置２４により測定された測距データに基づいて自動合焦処理（ＡＦ）が行われ、さらに、測光装置２２により測定された被写体の輝度に基づいて、自動露出処理（ＡＥ）が行われる。この結果、発光装置１６全体の発光強度が算出され、さらに、ステップＳ２０３あるいはステップＳ２０７において読取られた第１〜第９光源ユニット１６Ａ〜１６Ｉの発光強度の比に基づいて、第１〜第９光源ユニット１６Ａ〜１６Ｉのそれぞれの発光強度が定められ、ステップＳ２０９に進む。
【００５６】
なお、第２の実施形態においては、カメラＣＰＵ１８は、ＥＥＰＲＯＭ４４から撮影レンズ１３の現在の焦点距離における３つの周辺光量データを読み出し、この周辺光量データから第１〜第９ＬＥＤ４８Ａ〜４８Ｉの各発光強度を算出し、算出した各発光強度に対応した制御信号をフラッシュ回路２０へ出力する。そして、フラッシュ回路２０は、この制御信号に基づいて、各第１〜第９光源ユニット１６Ａ〜１６Ｉへ通電する電流値をそれぞれ設定して、発光制御をおこなう。
【００５７】
ステップＳ２０９では、レリーズボタン１２が全押しされているか否かが判断される。レリーズボタン１２が全押しされていると判断されるとステップＳ２１０に進み、レリーズボタン１２が全押しされていないと判断されるとステップＳ２０４に戻り、以下のステップが繰り返される。
【００５８】
ステップＳ２１０においては、発光強度がそれぞれ定められた第１〜第９光源ユニット１６Ａ〜１６Ｉを含む照明装置１６により、ストロボ発光が行われ、被写体の撮影が行われる。ここで、第１の実施形態と同様に、各光源ユニット１６Ａ〜１６Ｉの発光強度は、それぞれの照明光が基準チャートにおいて反射して撮影レンズ１３を透過して像面照度が等しくなるように制御されているため、被写体の輝度が撮影領域全般に渡って均一となった撮影が行われる。
【００５９】
以上のように本実施形態によれば、様々な撮影レンズが用いられるデジタルカメラ１０においても、撮影レンズに固有のレンズタイプデータと撮影レンズの周辺光量データとを、レンズ鏡筒１４内のＲＯＭ２７に格納させ、これらのデータをカメラＣＰＵ１８により読取ることで第１〜第９光源ユニット１６Ａ〜１６Ｉそれぞれの発光強度を制御し、撮影領域全般に渡り明るさが均一な撮影が可能となる。
【００６０】
照明装置１６における光源ユニットの配置は、本実施形態に限定されない。例えば、デジタルカメラ前面１０Ｆのある矩形状の領域内において、水平方向に２段で垂直方向に３列で配列された６個の光源ユニット、水平方向に３段で垂直方向に４列で配列された１２個の光源ユニットにより形成されても良い。いずれの場合においても、各光源ユニットは、撮影領域全般を照明するため、所定の照射方向に所定の照射角を有する光を照射する。
【００６１】
照明装置１６は、銀塩カメラ、撮影機能付き携帯機器等において用いられても良い。また照明装置１６は、撮影用光量制御装置に一体的に設けられず、光量制御装置に着脱自在な独立した構造であって、光量制御装置からの制御信号を受信することにより制御されても良い。
【００６２】
第１〜９光源ユニット１６Ａ〜１６Ｉは、それぞれ光源として、第１〜第９ＬＥＤ４８Ａ〜４８Ｉを用いているが、電球など、発光強度を調整可能な他の光源を用いても良い。
【図面の簡単な説明】
【００６３】
【図１】本発明の照明装置を備えたデジタルカメラを前方から見た正面図である。
【図２】第１の実施形態におけるデジタルカメラのブロック図である。
【図３】撮影レンズの画角によるＣＣＤの受光面での周辺光量低下率を示すグラフである。
【図４】第１の実施形態における、照明装置の光量制御を示すフローチャートである。
【図５】第２の実施形態におけるデジタルカメラのブロック図である。
【図６】第２の実施形態における、照明装置の光量制御を示すフローチャートである。
【符号の説明】
【００６４】
１０  デジタルカメラ（光量制御装置）
１３  撮影レンズ（撮影光学系）
１４  レンズ鏡筒
１６  照明装置
１６Ａ〜１６Ｉ  第１〜第９光源ユニット
１８  カメラＣＰＵ（周辺光量データ読出し手段）
２０  フラッシュ回路（光源ユニット制御手段）
２５  レンズＣＰＵ（周辺光量データ読出し手段）
２７  ＲＯＭ（周辺光量データ格納手段・ズーム周辺光量データ格納手段）
４４  ＥＥＰＲＯＭ（周辺光量データ格納手段・ズーム周辺光量データ格納手段）
４８Ａ〜４８Ｉ  第１〜第９ＬＥＤ（半導体発光素子）
５０  デジタルカメラ本体（光量制御装置本体）
【図１】
2005148200.tif 000003
【図２】
2005148200.tif 000004
【図３】
2005148200.tif 000005
【図４】
2005148200.tif 000006
【図５】
2005148200.tif 000007
【図６】
2005148200.tif 000008